(57)【要約】【課題】故人の戒名、生年月日、没年月日、俗名、享年を含む指定事項を凹凸状態に彫ることができる墓誌プレートの製造方法の提供。【解決手段】指定事項を陰画の状態に定着させたネガフィルム３を作成し（フィルム作成工程）、このネガフィルム３を通して液状感光性樹脂５に紫外線ｕ１、ｕ２を投光して露光した部分の樹脂を硬化させ（露光工程）、未硬化部分の液状感光性樹脂５を除去して指定事項を凸状に成形し（未硬化樹脂除去工程）、この樹脂シート５０を平板状の石板に貼り付けた貼着面へノズルから圧搾空気とともに金剛石を吹き付ける掘削を行って（サンドブラスト工程）墓誌プレートを製造する。【選択図】図１
2006183435.tif 000002
【特許請求の範囲】
【請求項１】
故人の戒名、生年月日、没年月日、俗名、享年を含む指定事項を、陰画または陽画の状態に定着させたフィルムを作成するフィルム作成工程と、
このフィルムを通して液状感光性樹脂に紫外線を投光し、露光した部分の液状感光性樹脂を硬化させる露光工程と、
未硬化部分の前記液状感光性樹脂を除去し、前記指定事項を凸状または凹状に成形する未硬化樹脂除去工程と、
未硬化樹脂を除去した樹脂シートを平板状の石板に貼り付け、この貼着面へノズルから圧搾空気とともに金剛石を吹き付けて掘削を行うサンドブラスト工程とからなる墓誌プレートの製造方法。
【請求項２】
故人の戒名、生年月日、没年月日、俗名、享年を含む指定事項を、陰画または陽画の状態に定着させたフィルムを作成するフィルム作成工程と、
このフィルムを通して液状感光性樹脂に紫外線を投光し、露光した部分の液状感光性樹脂を硬化させる露光工程と、
未硬化部分の前記液状感光性樹脂を除去し、前記指定事項を凸状または凹状に成形する未硬化樹脂除去工程と、
未硬化樹脂を除去した樹脂シートを平板状の石板に貼り付け、この貼着面をレーザーにより掘削するレーザー加工工程とからなる墓誌プレートの製造方法。
【請求項３】
前記指定事項には、故人の経歴や思い出、生前の顔のイラストと両親の名前、または生前の顔写真と両親の名前が含まれることを特徴とする請求項１または請求項２に記載の墓誌プレートの製造方法。
【請求項４】
請求項１乃至請求項３の何れかに記載の墓誌プレートの製造方法で製造した墓誌プレート。
【発明の詳細な説明】
【技術分野】
【０００１】
本発明は、お墓の近傍に設置される差込式墓誌に使用する墓誌プレートに関する。
【背景技術】
【０００２】
特許文献１には、石材の表面に形成した掘り込み面に、無機質の釉薬で表面に故人のポートレートを焼き付けたセラミック板を嵌め込み、ゴム弾性を有する接着剤で接着した墓所用石材加工品が開示されている。
特許文献２には、陶器表面に熱転写用接着材をコーティングし、該接着材上面に、予め熱転写用印画紙にプリントされて成る熱転写用写真を接合してプレスすると共に、約７０℃の雰囲気で約３分間加熱することにより、該陶器表面に写真を転写し、更に、この写真の表面に紫外線カットシートを装着して一体に形成した墓誌用写真を、墓誌の任意の個所に耐候性或いは非水溶性接着材等を用いて墓誌に装着する技術が開示されている。
【特許文献１】実用新案登録第３０１６１３４号公報
【特許文献２】特開２００１−１８２３７９号公報
【発明の開示】
【発明が解決しようとする課題】
【０００３】
しかし、上記の技術は、下記に示す課題を有する。
特許文献１の墓所用石材加工品において、石材の掘り込み面に嵌め込むのはセラミック板であるので荘厳さに欠ける。また、セラミック板は嵌め込み式であるので破損した場合の修理や、新規追加は困難である。
また、特許文献２の、写真を墓誌に装着する技術は、装着式であるので写真が破損した場合の修理や、新規追加は困難である。
【０００４】
本発明の第１の目的は、故人の戒名、生年月日、没年月日、俗名、享年を含む指定事項を凹凸状態に彫ることができる墓誌プレートの製造方法の提供にある。
本発明の第２の目的は、故人の戒名、生年月日、没年月日、俗名、享年を含む指定事項を凹凸状態に彫った、差込式墓誌に適した墓誌プレートの提供にある。
【課題を解決するための手段】
【０００５】
〔請求項１、４について〕
墓誌プレートは、以下の工程を経て製造される。
故人の戒名、生年月日、没年月日、俗名、享年を含む指定事項を、陰画または陽画の状態に定着させたフィルムを作成する（フィルム作成工程）。
【０００６】
次に、フィルムを通して液状感光性樹脂に紫外線を投光すると、露光した部分の液状感光性樹脂が硬化する（露光工程）。
未硬化部分の液状感光性樹脂を水等で除去すると、指定事項が凸状または凹状に成形された樹脂シートができる（未硬化樹脂除去工程）。
【０００７】
この樹脂シートを平板状の石板に貼り付け、この貼着面へノズルから圧搾空気とともに金剛石を吹き付ける（サンドブラスト工程）。樹脂シートが薄い部分（凹状に成形される部分）の石板表面が、吹き付けられた金剛石により掘削される。なお、圧搾空気の圧力、金剛石の粒径や流量を、適宜、調整する。
これにより、墓誌プレートの表面に、故人の戒名、生年月日、没年月日、俗名、享年を含む指定事項を凹凸状態に彫ることができる。
【０００８】
なお、指定事項が凸状に掘削される様にするには、指定事項を陰画の状態にフィルムに定着させる。また、指定事項が凹状に掘削される様にするには、指定事項を陽画の状態にフィルムに定着させる。
【０００９】
〔請求項２、４について〕
墓誌プレートは、以下の工程を経て製造される。
故人の戒名、生年月日、没年月日、俗名、享年を含む指定事項を、陰画または陽画の状態に定着させたフィルムを作成する（フィルム作成工程）。
【００１０】
次に、フィルムを通して液状感光性樹脂に紫外線を投光すると、露光した部分の液状感光性樹脂が硬化する（露光工程）。
未硬化部分の液状感光性樹脂を例えば水で除去すると、指定事項が凸状または凹状に成形された樹脂シートができる（未硬化樹脂除去工程）。
【００１１】
この樹脂シートを平板状の石板に貼り付け、この貼着面にレーザーを照射して彫削する（レーザー加工工程）。樹脂シートが薄い部分（凹状に成形される部分）の石板表面が、レーザーにより掘削される。なお、レーザーの波長、照射強度、走査タイミングを、適宜、調整する。
これにより、墓誌プレートの表面に、故人の戒名、生年月日、没年月日、俗名、享年を含む指定事項を凹凸状態に彫ることができる。
【００１２】
なお、指定事項が凸状に掘削される様にするには、指定事項を陰画の状態にフィルムに定着させる。また、指定事項が凹状に掘削される様にするには、指定事項を陽画の状態にフィルムに定着させる。
【００１３】
〔請求項３、４について〕
指定事項（故人の戒名、生年月日、没年月日、俗名、享年を含む）に、故人の経歴や思い出、生前の顔のイラストと両親の名前、または生前の顔写真と両親の名前を入れても良い。
お墓参りに来た遺族が、この墓誌プレートを見れば、お墓に対する慈しみや故人を偲ぶ気持ちが強まるとともに、故人を供養する気持ちを高めることができる。特に、病気や不慮の事故等で、若くして他界した場合に適している。
なお、指定事項に生前の時の顔のイラストや顔写真が入っていても、陰画または陽画の状態にフィルムに定着させることができるので、レーザー加工やサンドブラストにより、墓誌プレートの表面に顔写真等を凹凸状態に彫ることができる。
但し、生前の顔写真に基づいて、顔を石板表面に掘削する場合には、当人は既に他界しているので、ドット密度の高低により顔の特徴を表現した点描画を用い、暈した状態に掘削するのが好ましい。
【発明を実施するための最良の形態】
【００１４】
差込式墓誌に使用する墓誌プレートは、以下の様にして製造する。
指定事項（故人の戒名、生年月日、没年月日、俗名、享年、顔写真等）を陰画の状態に定着させたフィルムを作成（フィルム作成工程）し、このフィルムを通して液状感光性樹脂に紫外線を投光して露光した部分の樹脂を硬化させ（露光工程）、未硬化部分の液状感光性樹脂を水で除去し、指定事項を凸状に成形（未硬化樹脂除去工程）し、この未硬化樹脂を除去した樹脂シートを平板状の石板に貼り付け、この貼着面へノズルから圧搾空気とともに金剛石を吹き付けて掘削を行う（サンドブラスト工程）。
これにより、墓誌プレートの表面に指定事項を凹凸状態に彫ることができる。
【実施例１】
【００１５】
本発明の実施例１（請求項１、４に対応）を図１〜図３に基づいて説明する。
図２に示す墓誌プレートＡ（Ｗ７７．８ｍｍ×Ｄ１０ｍｍ×Ｈ２４５ｍｍ）は矩形平板状を呈し、故人の戒名１１、生年月日１２、没年月日１３、俗名１４、および享年１５が凸状に掘削され、図３に示す差込式墓誌Ｓに収納される。
【００１６】
差込式墓誌Ｓは、墓誌台２０の左右に固着される墓誌下駄２１、２１と、墓誌下駄２１の受部２１ａに嵌着される墓誌板２２と、レール石板２３、２４、２５と、屋根石２６と、左右の上段側収納部挿入口２７および下段側収納部挿入口２８を塞ぐプレート止石板２９とを具備する。
矩形平板状を呈する墓誌板２２（Ｗ６０５ｍｍ×Ｄ７０ｍｍ×Ｈ５８０ｍｍ）は花崗岩で形成され、板表面の中央に凹溝２２ａ（幅３０ｍｍ、深さ２０ｍｍ）を横設している。  
【００１７】
断面Ｌ字状を呈するレール石板２３は、花崗岩で形成され、墓誌板２２下方の板表面に背面２３ａを接着剤（セメントや石材用ボンド）で固着し、Ｌ字内側を墓誌プレートＡの保持部としている。
断面Ｔ字状を呈するレール石板２４は、花崗岩で形成され、墓誌板２２中央の凹溝２２ａに柱状部２４ａを嵌め込み、接着剤（セメントや石材用ボンド）で固着している。また、Ｔ字内側を各墓誌プレートＡの保持部としている。
断面Ｌ字状を呈するレール石板２５は、花崗岩で形成され、墓誌板２２上面に天板下面２５ａを当接し接着剤（セメントや石材用ボンド）で固着している。また、Ｌ字内側を墓誌プレートＡの保持部としている。
【００１８】
屋根の形をした屋根石２６は花崗岩で形成され、レール石板２５の天板上面２５ｂに、接着剤（セメントや石材用ボンド）により固着されている。
【００１９】
墓誌プレートＡは、墓誌板２２の上縁端部表面とレール石板２５の保持部垂直面との間の上段上隙間（１２ｍｍ）と、墓誌板２２表面とレール石板２４の保持部上側垂直面との間の上段下隙間（１２ｍｍ）とにより形成される上段側プレート収納部２７ａ、および墓誌板２２表面とレール石板２４の保持部下側垂直面との間の下段上隙間（１２ｍｍ）と、墓誌板２２の下縁端部表面とレール石板２３の保持部垂直面との間の下段下隙間（１２ｍｍ）とにより形成される下段側プレート収納部２８ａへ、上段側収納部挿入口２７または下段側収納部挿入口２８から挿入される。
【００２０】
左右の上段側収納部挿入口２７および左右の下段側収納部挿入口２８を塞ぐプレート止石板２９、２９（Ｗ３０ｍｍ×Ｄ１０ｍｍ×Ｈ２２５ｍｍ）は、矩形平板状を呈し、花崗岩で形成されている。
【００２１】
墓誌プレートＡは、以下の様にして製造する。
（１）フィルム作成工程
指定事項（故人の戒名、生年月日、没年月日、俗名、享年）を陰画の状態に定着させたネガフィルム３を作成する（具体例を下記に示す）。
パソコンを使って、指定事項を所望のフォントで描いた原画をモニター上に作成し、この原画の電子データをプリンターで印刷し、この印刷物を大判のモノクロフィルムを装填したカメラで撮影し、現像してネガフィルム３とする。または、原画の電子データを、透明フィルムに直接、モノクロで印刷してネガフィルム３としても良い。
【００２２】
（２）露光工程
下側ガラス板４１の上面に、ネガフィルム３、カバーフィルム３１、未硬化の液状感光性樹脂５、およびベースフィルム３２をセットし、この上に、更に上側ガラス板４２をセットする。
先ず、上側ガラス板４２側に配した紫外線光源（図示せず）から低出力の紫外線ｕ１を下向きに照射して液状感光性樹脂５の上部を硬化させ、樹脂シート５０のベース部分を形成する。
【００２３】
次に、下側ガラス板４１側に配した紫外線光源（図示せず）から高出力の紫外線ｕ２を上向きに照射する｛図１の（ａ）参照｝。
下側ガラス板４１側に配した紫外線光源から紫外線ｕ２を照射すると、ネガフィルム３に黒く描かれた部分３３は紫外線ｕ２を遮光するので、影になった部分５１の液状感光性樹脂５は液状を維持する。また、透明部分の背後に位置する部分５２の液状感光性樹脂５は紫外線ｕ２が透過するので硬化し、樹脂シート５０の凸状部分が形成される｛図１の（ｂ）参照｝。
【００２４】
（３）未硬化樹脂除去工程
カバーフィルム３１を剥がし、ベースフィルム３２が付いた状態で下面を水洗いし、未硬化部分の液状感光性樹脂５を除去する｛図１の（ｃ）参照｝。
これにより、指定事項が凸状に浮き出た樹脂シート５０が得られる｛図１の（ｄ）参照｝。なお、樹脂シート５０の厚さは、０．０１ｍｍ〜０．５ｍｍ（凸状を含む）が好適である。
【００２５】
（４）サンドブラスト工程
ベースフィルム３２を剥がして樹脂シート５０を、表面を研磨した平板状の石板（黒色の花崗岩）の上面に貼り付ける。なお、自己接着力により樹脂シート５０が石板上面に貼着する。
そして、ベースフィルム３２に対向配置したノズルから圧搾空気とともに金剛石を、貼着面へ向かって吹き付けて掘削を行う。
樹脂シート５０が薄い部分の石板表面が、吹き付けられた金剛石により掘削される。なお、樹脂シート５０の凸状部分の石板表面が掘削されず、薄い部分の石板表面のみ金剛石により掘削される様に、圧搾空気の圧力、金剛石の粒径や流量を調整しておく。
これにより、石板の表面に指定事項を凸状に掘削（最大１ｍｍ）した墓誌プレートＡが完成する。
【００２６】
実施例１は、以下の利点を有する。
［あ］指定事項を定着させたネガフィルム３を通して液状感光性樹脂５を紫外線ｕ２で露光させているので、指定事項に小さい文字が含まれていても、指定事項が忠実に凸状に浮き出た高精度の樹脂シート５０が得られる。
よって、実施例１の方法で墓誌プレートＡを製造すれば、故人の戒名１１、生年月日１２、没年月日１３、俗名１４、および享年１５を含む指定事項を、所望の大きさの所望の書体（凸状）で、高精度に掘削することができる。
また、金剛石により指定事項を掘削するので、短期間で綺麗に墓誌プレートＡを製造できる。また、石職人による手彫でないので加工費が安価である。
【００２７】
［い］墓誌プレートＡは、指定事項が凸状に掘削されているので、差込式墓誌Ｓに取り付けた場合に荘厳であるとともに、並び変え、追加、一部撤去等が可能である。
なお、自然現象等により墓誌プレートＡが破損した場合でも交換修理で対応でき、修理代が比較的安価で済む。
【実施例２】
【００２８】
つぎに、本発明の実施例２（請求項２、４に対応）を図３、図４に基づいて説明する。  墓誌プレートＢ（Ｗ７７．８ｍｍ×Ｄ１０ｍｍ×Ｈ２４５ｍｍ）は矩形平板状を呈し、故人の戒名６１、生年月日６２、没年月日６３、俗名６４、および享年６５が凹状に掘削されている（図４参照）。
この墓誌プレートＢは、図３に示す差込式墓誌Ｓの上段側プレート収納部２７ａおよび下段側プレート収納部２８ａへ、上段側収納部挿入口２７または下段側収納部挿入口２８から挿入される。
【００２９】
墓誌プレートＢは、以下の様にして製造する。
（１）フィルム作成工程
指定事項（故人の戒名、生年月日、没年月日、俗名、享年）を陽画の状態に定着させたポジフィルムを作成する（具体例を下記に示す）。
パソコンを使って、指定事項を所望のフォントで描いた原画をモニター上に作成し、この原画の電子データをプリンターで印刷し、この印刷物を大判のモノクロポジフィルムを装填したカメラで撮影し、現像する。または、原画の電子データを、透明フィルムに直接、モノクロで印刷してポジフィルムとしても良い。
【００３０】
（２）露光工程
下側ガラス板の上面に、ポジフィルム、カバーフィルム、未硬化の液状感光性樹脂、およびベースフィルムをセットし、この上に、更に上側ガラス板をセットする。
先ず、上側ガラス板側に配した紫外線光源から低出力の紫外線を下向きに照射して液状感光性樹脂の上部を硬化させ、樹脂シートのベース部分を形成する。
【００３１】
次に、下側ガラス板側に配した紫外線光源から高出力の紫外線を上向きに照射する。
下側ガラス板側に配した紫外線光源から紫外線を照射すると、ポジフィルムに黒く描かれた部分は紫外線を遮光するので、影になった部分の液状感光性樹脂は液状を維持する。また、透明部分の背後に位置する部分の液状感光性樹脂は紫外線が透過するので硬化し、樹脂シートの凹状部分が形成される。
【００３２】
（３）未硬化樹脂除去工程
カバーフィルムを剥がし、ベースフィルムが付いた状態で下面を水洗いし、未硬化部分の液状感光性樹脂を除去する。
これにより、指定事項が凹状に窪んだ樹脂シートが得られる。なお、樹脂シートの厚さは、０．０１ｍｍ〜０．５ｍｍが好適である。
【００３３】
（４）レーザー加工工程
ベースフィルムを剥がして樹脂シートを、表面を研磨した平板状の石板（白色の花崗岩）の上面に貼り付ける。なお、自己接着力により樹脂シートが石板上面に貼着する。
ベースフィルムへ向かって貼着面にレーザーを照射して掘削を行う。
樹脂シートが薄い部分（凹状に成形される部分）の石板表面が、レーザーにより掘削される。なお、レーザーの波長、照射強度、走査タイミングを予め調整しておく。
これにより、石板の表面に指定事項を凹状に掘削（最大１ｍｍ）した墓誌プレートＢが得られる。なお、必要に応じ、凹状部を黒色に塗色する。
【００３４】
実施例２は、以下の利点を有する。
［う］指定事項を定着させたポジフィルムを通して液状感光性樹脂を紫外線で露光させているので、指定事項に小さい文字が含まれていても、指定事項が忠実に凹状に窪んだ高精度の樹脂シートが得られる。
よって、実施例２の方法で製造した墓誌プレートＢは、故人の戒名６１、生年月日６２、没年月日６３、俗名６４、および享年６５を含む指定事項を、所望の大きさの所望の書体（凹状）で、高精度に掘削することができる。
また、レーザーにより指定事項を掘削するので、短期間で綺麗に墓誌プレートＢを製造できる。また、石職人による手彫でないので加工費が安価である。
【００３５】
［え］墓誌プレートＢは、指定事項が凹状に掘削されているので、差込式墓誌Ｓに取り付けた場合に荘厳であるとともに、並び変え、追加、一部撤去等が可能である。
なお、自然現象等により墓誌プレートＢが破損した場合でも交換修理で対応でき、修理代が比較的安価で済む。
【実施例３】
【００３６】
つぎに、本発明の実施例３（請求項１、３、４に対応）を図３、図５、および図６に基づいて説明する。
墓誌プレートＣ（Ｗ７７．８ｍｍ×Ｄ１０ｍｍ×Ｈ２４５ｍｍ）は矩形平板状を呈し、故人の戒名７１、生年月日７２、没年月日７３、俗名７４、享年７５、および故人の人生模様７６（両親の名前、経歴、性格、死因等）が凸状に掘削されている（図６参照）。
この墓誌プレートＣは、図３に示す差込式墓誌Ｓの上段側プレート収納部２７ａおよび下段側プレート収納部２８ａへ、上段側収納部挿入口２７または下段側収納部挿入口２８から挿入される。
【００３７】
墓誌プレートＢは、以下の様にして製造する。
（１）フィルム作成工程
実施例１と同様の方法を用い、指定事項（故人の戒名、生年月日、没年月日、俗名、享年、人生模様）を陰画の状態に定着させたネガフィルム３を作成する。
【００３８】
（２）露光工程
遮光盤８０の樹脂溜め８１に未硬化の液状感光性樹脂８２を入れ透光シート８３を被せ、その上に上面にガラス板８４を載せ、ガラス板８４の上面にネガフィルム３をセットする（図５参照）。上記樹脂溜め８１は、遮光盤８０の盤上面にテープや枠体８５を固着して形成する。また、遮光盤８０に凹部を形成して樹脂溜め８１としても良い。
【００３９】
ネガフィルム３の上方に配した紫外線光源（図示せず）から紫外線ｕを下向きに照射する。ネガフィルム３に黒く描かれた部分３３は紫外線ｕを遮光するので、影になる部分の下方に位置する液状感光性樹脂８２は液状を維持する。また、透明部分の下方に位置する液状感光性樹脂８２は紫外線ｕが透過するので硬化する。
【００４０】
（３）未硬化樹脂除去工程
未硬化部分を有する樹脂シートを、透光シート８３を付けた状態で遮光盤８０から取り出して下面を水洗いし、未硬化部分の液状感光性樹脂８２を除去する。これにより、指定事項が凸状に浮き出た樹脂シート８が得られる。なお、樹脂シート８の厚さは、０．０１ｍｍ〜０．５ｍｍ（凸状を含む）が好適である。
【００４１】
（４）サンドブラスト工程
樹脂シート８を、表面を研磨した平板状の石板（黒色の花崗岩）の上面に接着剤（図示せず）を用いて貼り付ける。
そして、ノズルから圧搾空気とともに金剛石を、樹脂シート８の貼着面へ向かって吹き付けて掘削を行う。
透光シート８３だけの部分の石板表面が吹き付けられた金剛石により掘削され、樹脂が硬化している凸状部分の石板表面が金剛石により掘削されない様に、圧搾空気の圧力、金剛石の粒径や流量を予め調整しておく。
これにより、石板の表面に指定事項を凸状に掘削（最大１ｍｍ）した墓誌プレートＣが完成する。
【００４２】
実施例３は、以下の利点を有する。
［お］図５に示す様に、指定事項を定着させたネガフィルム３を通して液状感光性樹脂８２を紫外線ｕで露光させているので、指定事項に小さい文字が含まれていても、指定事項が忠実に凸状に浮き出た高精度の樹脂シート８が容易に得られる。
よって、実施例３の方法で墓誌プレートＣを製造すれば、故人の戒名７１、生年月日７２、没年月日７３、俗名７４、享年７５、および故人の人生模様７６を、所望の大きさの所望の書体（凸状）で、石板上に高精度に掘削することができる。
また、金剛石により指定事項を掘削するので、短期間で綺麗に墓誌プレートＣを製造できる。また、石職人による手彫でないので加工費が安価である。
【００４３】
［か］墓誌プレートＣは、指定事項が凸状に掘削されているので、差込式墓誌Ｓに取り付けた場合に荘厳であるとともに、並び変え、追加、一部撤去等が可能である。
なお、自然現象等により墓誌プレートＣが破損した場合でも交換修理で対応でき、修理代が比較的安価で済む。
【実施例４】
【００４４】
本発明は、上記実施例以外に、以下の実施態様を含む。
ａ．実施例４として、図７に示す墓誌プレートＤの様に、故人の戒名１１、生年月日１２、没年月日１３、俗名１４、享年１５以外に、生前の顔写真１６と両親の名前１７が凸状に掘削される様に、実施例１を変更しても良い（請求項１、３、４に対応）。
なお、当人は、既に他界しているので、当人の生前の顔写真を、ドット密度の高低により顔の特徴を表現した点描画に変更してネガフィルムを作成し、顔を暈した状態に掘削して墓誌プレートＤを製造している。
【実施例５】
【００４５】
ｂ．実施例５として、図８に示す墓誌プレートＥの様に、故人の戒名１１、生年月日１２、没年月日１３、俗名１４、享年１５以外に、両親の名前１７、および当人の生前の顔のイラスト１８とが凸状に掘削される様に、実施例１を変更しても良い（請求項１、３、４に対応）。
【図面の簡単な説明】
【００４６】
【図１】（ａ）〜（ｄ）は、本発明の実施例１に係る墓誌プレートの製造方法を示す製造工程図である。
【図２】その墓誌プレートを正面から見たところを示す説明図である。
【図３】本発明の実施例１〜５に係る墓誌プレートを隙間へ挿入可能な差込式墓誌の説明図である。
【図４】本発明の実施例２に係る墓誌プレートを正面から見たところを示す説明図である。
【図５】本発明の実施例３に係る墓誌プレートの製造方法を示す製造工程図である。
【図６】本発明の実施例３に係る墓誌プレートを正面から見たところを示す説明図である。
【図７】本発明の実施例４に係る墓誌プレートを正面から見たところを示す説明図である。
【図８】本発明の実施例５に係る墓誌プレートを正面から見たところを示す説明図である。
【符号の説明】
【００４７】
Ａ〜Ｅ  墓誌プレート
ｕ、ｕ１、ｕ２  紫外線
３  ネガフィルム（フィルム）
５、８２  液状感光性樹脂
１１、６１、７１  故人の戒名
１２、６２、７２  生年月日
１３、６３、７３  没年月日
１４、６４、７４  俗名
１５、６５、７５  享年
【図１】
2006183435.tif 000003
【図２】
2006183435.tif 000004
【図３】
2006183435.tif 000005
【図４】
2006183435.tif 000006
【図５】
2006183435.tif 000007
【図６】
2006183435.tif 000008
【図７】
2006183435.tif 000009
【図８】
2006183435.tif 000010